(57)【要約】【課題】ランダムアクセス可能な第１の記録媒体に映像信号を記録する第１のモードと、それと比べて低速にランダムアクセス可能またはリニアアクセス可能な第２の記録媒体に映像信号を記録する第２のモードを有し、第２のモード時に第２の記録媒体の残量が少ない場合であっても、煩雑な操作を行うことなく画質を低減することなく映像信号を記録することができる映像信号処理装置を提供する。【解決手段】ＭＰＥＧ１エンコード部１２１と、ＤＶ方式エンコード部１３１と、ランダムアクセス可能な記録媒体４０に符号化処理が施された映像信号を記録する第１記録再生部１４と、記録媒体５０に符号化処理が施された映像信号を記録する第２記録再生部１５と、第２のモード時に、記録媒体５０の残量が設定値よりも小さい場合には、ＤＶ方式エンコード部１３１により第２の符号化処理が施された映像信号を第１記録再生部１４を介して記録媒体４０に記録する制御部１９とを設ける。【選択図】図１
2006060380.tif 000002
【特許請求の範囲】
【請求項１】
映像信号に第１の画像処理を施す第１の画像処理手段と、
映像信号に第２の画像処理を施して、前記第１の画像処理が施された映像信号よりも大きいデータレートの信号を生成する第２の画像処理手段と、
ランダムアクセス可能な第１の記録媒体に画像処理が施された映像信号を記録する第１の記録手段と、
リニアアクセスまたは前記第１の記録媒体よりも低速にランダムアクセス可能な第２の記録媒体に画像処理が施された映像信号を記録する第２の記録手段と、
第１のモード時に、前記第１の画像処理手段により第１の画像処理が施された映像信号を前記第１の記録手段を介して前記第１の記録媒体に記録し、第２のモード時に、前記第２の画像処理手段により第２の画像処理が施された映像信号を前記第２の記録手段を介して前記第２の記録媒体に記録し、前記第２の記録媒体の残量が設定値よりも小さい場合には、前記第２の画像処理手段により第２の画像処理が施された映像信号を前記第１の記録手段を介して、前記第１の記録媒体に記録する制御手段と
を有する映像信号処理装置。
【請求項２】
前記第１の画像処理手段は、映像信号に第１の符号化処理を施す第１の符号化手段を含み、
前記第２の画像処理手段は、映像信号に第２の符号化処理を施して、前記第１の符号化処理により生成された符号化データよりも大きいデータレートの符号化データを生成する第２の符号化手段を含み、
前記制御手段は、第１のモード時に、前記第１の符号化手段により第１の符号化処理が施された映像信号を前記第１の記録手段を介して前記第１の記録媒体に記録し、第２のモード時に、前記第２の符号化手段により第２の符号化処理が施された映像信号を前記第２の記録手段を介して前記第２の記録媒体に記録し、前記第２の記録媒体の残量が設定値よりも小さい場合には、前記第２の符号化手段により第２の符号化処理が施された映像信号を前記第１の記録手段を介して、前記第１の記録媒体に記録する
請求項１に記載の映像信号処理装置。
【請求項３】
前記制御手段は、転送指示により前記第１の記録手段を介して前記第１の記録媒体に記録された映像信号を読み出し、当該読み出した映像信号を前記第２の記録手段を介して第２の記録媒体に記録する
請求項２に記載の映像信号処理装置。
【請求項４】
前記第２の符号化処理に対応する復号処理を行う復号手段を有し、
前記制御手段は、前記第１の記録手段を介して、前記第１の記録媒体から前記第２の符号化処理が施された映像信号を読み出して、前記復号手段による復号処理を施した後、前記第２の符号化手段により前記第２の符号化処理を施して、前記第２の記録手段を介して第２の記録媒体に記録する
請求項２に記載の映像信号処理装置。
【請求項５】
編集手段を有し、
前記制御手段は、前記第１の記録手段を介して、前記第１の記録媒体から前記第２の符号化処理が施された映像信号を読み出して、前記復号手段による復号処理を施した後、さらに前記編集手段により編集処理を施して、前記第２の符号化手段により前記第２の符号化処理を施し、前記第２の記録手段を介して第２の記録媒体に記録する
請求項４に記載の映像信号処理装置。
【請求項６】
撮像した結果に基づいて映像信号を生成する撮像手段を有し、
前記第１および第２の画像処理手段は、前記撮像手段が生成した映像信号に画像処理を行う
請求項１に記載の映像信号処理装置。
【請求項７】
前記第１および第２の記録媒体は、装置に着脱可能および交換可能な記録媒体である
請求項１に記載の映像信号処理装置。
【請求項８】
前記第１の記録媒体は、半導体メモリである
請求項７に記載の映像信号処理装置。
【請求項９】
交換可能な第１の記録媒体に映像信号を記録可能な第１の記録手段と、
当該第１の記録手段と記録方式の異なる記録方式により、交換可能な第２の記録媒体に映像信号を記録可能な第２の記録手段と、
前記第２の記録媒体の記憶残量が設定値よりも小さい場合に、前記第２の記録手段により前記第１の記録媒体に映像信号を記録し、転送指示により前記第２の記録手段により前記第１の記録媒体から記録した映像信号を読み出して、当該読み出した映像信号を前記第２の記録手段により第２の記録媒体に記録する制御手段と
を有する映像信号処理装置。
【発明の詳細な説明】
【技術分野】
【０００１】
本発明は、例えば撮像部や外部装置等から入力される映像信号を記録媒体に記録する処理を行う映像信号処理装置に関するものである。
【背景技術】
【０００２】
例えば、カメラ部で撮像された映像データを、磁気テープ等の記録媒体に記録するカメラ一体型ＶＴＲ（ビデオテープレコーダ）装置が知られている（例えば、特許文献１参照）。
【０００３】
ところで、例えば映像信号を規定された記録方式、例えばＤＶ（デジタルビデオ）方式により磁気テープ等のリニアアクセス可能な記録媒体に記録し、また、規定された他の記録方式、例えばＤＶ方式よりも低データレートのＭＰＥＧ１（Motion Picture Experts Group）の記録方式により映像信号をフラッシュメモリ等のランダムアクセス可能な記録媒体に記録する装置も知られている。
【特許文献１】特開２００１−３６８４９号公報
【発明の開示】
【発明が解決しようとする課題】
【０００４】
一般的に、フラッシュメモリ等の高速にランダムアクセス可能な記録媒体は、リニアアクセス可能な磁気テープに比べて高価であり、記憶容量が小さい。
このため、主にＤＶ（デジタルビデオ）方式により磁気テープ等の記録媒体に高画質の映像信号として記録し、予備的に低データレートのＭＰＥＧ１記録方式によりフラッシュメモリ等の記録媒体に低画質の映像信号として記録する。しかし、上述したように低データレートで記録するために記録した映像信号が低画質となり、改善が望まれている。
【０００５】
本発明は、かかる事情に鑑みてなされたものであり、その目的は、ランダムアクセス可能な第１の記録媒体に映像信号を記録する第１のモードと、それと比べて低速にランダムアクセス可能またはリニアアクセス可能な第２の記録媒体に映像信号を記録する第２のモードを有し、第２のモード時に第２の記録媒体の残量が少ない場合であっても、煩雑な操作を行うことなく画質を低減することなく映像信号を記録することができる映像信号処理装置を提供することにある。
【課題を解決するための手段】
【０００６】
前記目的を達成するために、本発明の第１の観点の映像信号処理装置は、映像信号に第１の画像処理を施す第１の画像処理手段と、映像信号に第２の画像処理を施して、前記第１の画像処理が施された映像信号よりも大きいデータレートの信号を生成する第２の画像処理手段と、ランダムアクセス可能な第１の記録媒体に画像処理が施された映像信号を記録する第１の記録手段と、リニアアクセスまたは前記第１の記録媒体よりも低速にランダムアクセス可能な第２の記録媒体に画像処理が施された映像信号を記録する第２の記録手段と、第１のモード時に、前記第１の画像処理手段により第１の画像処理が施された映像信号を前記第１の記録手段を介して前記第１の記録媒体に記録し、第２のモード時に、前記第２の画像処理手段により第２の画像処理が施された映像信号を前記第２の記録手段を介して前記第２の記録媒体に記録し、前記第２の記録媒体の残量が設定値よりも小さい場合には、前記第２の画像処理手段により第２の画像処理が施された映像信号を前記第１の記録手段を介して、前記第１の記録媒体に記録する制御手段とを有する。
【０００７】
本発明の第１の観点の映像信号処理装置によれば、制御手段は、第１のモード時に、前記第１の画像処理手段により第１の画像処理が施された映像信号を前記第１の記録手段を介して前記第１の記録媒体に記録し、第２のモード時に、前記第２の画像処理手段により第２の画像処理が施された映像信号を前記第２の記録手段を介して前記第２の記録媒体に記録し、前記第２の記録媒体の残量が設定値よりも小さい場合には、前記第２の画像処理手段により第２の画像処理が施された映像信号を前記第１の記録手段を介して、前記第１の記録媒体に記録する。
【０００８】
さらに、前記目的を達成するために、本発明の第２の観点の映像信号処理装置は、交換可能な第１の記録媒体に映像信号を記録可能な第１の記録手段と、当該第１の記録手段と記録方式の異なる記録方式により、交換可能な第２の記録媒体に映像信号を記録可能な第２の記録手段と、前記第２の記録媒体の記憶残量が設定値よりも小さい場合に、前記第２の記録手段により前記第１の記録媒体に映像信号を記録し、転送指示により前記第２の記録手段により前記第１の記録媒体から記録した映像信号を読み出して、当該読み出した映像信号を前記第２の記録手段により第２の記録媒体に記録する制御手段とを有する。
【発明の効果】
【０００９】
本発明によれば、ランダムアクセス可能な第１の記録媒体に映像信号を記録する第１のモードと、それと比べて低速にランダムアクセス可能またはリニアアクセス可能な第２の記録媒体に映像信号を記録する第２のモードを有し、第２のモード時に第２の記録媒体の残量が少ない場合であっても、煩雑な操作を行うことなく画質を低減することなく映像信号を記録することができる映像信号処理装置を提供することができる。
【発明を実施するための最良の形態】
【００１０】
〔第１実施形態〕
本発明の第１実施形態に係る映像信号処理装置を適用したカメラ一体型ビデオレコーダ（単にビデオレコーダとも言う）を説明する。
【００１１】
以下、詳細に、図面を参照しながら説明する。
図１は、本発明の第１実施形態に係る映像信号処理装置を適用したビデオレコーダの機能ブロック図である。
本実施形態に係るビデオレコーダ１は、例えば図１に示すように、撮像部１１１、外部入力部１１２、ＭＰＥＧ１エンコード部１２１、ＭＰＥＧ１デコード部１２２、ＤＶ方式エンコード部１３１、ＤＶ方式デコード部１３２、第１記録再生部１４、第２記録再生部１５、表示部１６、外部出力部１７、設定部１８、制御部１９、およびセレクタＳＷ１〜ＳＷ５を有する。
【００１２】
制御部１９は、本発明の制御手段の一例に相当する。ＭＰＥＧ１エンコード部１２１は、第１の画像処理手段および第１の符号化手段の一例に相当する。ＤＶ方式エンコード部１３１は、本発明に係る第２の画像処理手段および第２の符号化手段の一例に相当する。ＤＶ方式デコード部１３２は、本発明に係る復号手段の一例に相当する。
【００１３】
第１記録再生部１４は、本発明に係る第１の記録手段の一例に相当し、第２記録再生部１５は本発明に係る第２の記録手段の一例に相当する。
【００１４】
撮像部１１１は、例えば不図示の被写体を撮像した結果に基づいて映像信号を生成して映像信号Ｓ１１１として出力する。
撮像部１１１は、例えばＣＣＤ（Charge Coupled Device）やＣＭＯＳ（Complementary Metal Oxide Semiconductor）等の撮像素子や、撮像素子から出力された信号にＡ／Ｄ（アナログ／デジタル）変換処理を施すＡＤ（アナログ／デジタル）変換回路、ガンマ補正処理やＡＧＣ（Automatic Gain Control）処理を施す処理回路等により構成されている。
【００１５】
外部入力部１１２は、例えば外部装置からの映像信号を入力し、信号処理が施され、信号Ｓ１１２として出力する。例えば外部入力部１１２は、外部入力端子等により構成される。
【００１６】
ビデオレコーダ１は、映像信号に第１の画像処理を施す第１の画像処理手段と、映像信号に第２の画像処理を施して、前記第１の画像処理により第１の画像処理が施された映像信号よりも大きいデータレートの信号を生成する第２の画像処理手段を有する。
その第１の画像処理手段は、映像信号に第１の符号化処理を施す第１の符号化手段を含み、第２の画像処理手段は、映像信号に第２の符号化処理を施して、前記第１の符号化処理に生成された符号化データよりも大きいデータレートの符号化データを生成する第２の符号化手段を含む。
【００１７】
具体的に本実施形態のビデオレコーダ１は、例えば第１の符号化手段としてＭＰＥＧ１エンコード部１２１、第２の符号化手段としてＤＶ方式エンコード部１３１を有する。
【００１８】
ＭＰＥＧ１エンコード部１２１は、例えば映像信号Ｓ１１１に予め規定された符号化処理、詳細にはＭＰＥＧ１エンコード処理を施して、信号Ｓ１２１として出力する。
ＭＰＥＧ１デコード部１２２は、例えばＭＰＥＧ１エンコード部１２１の符号化処理の逆変換処理、詳細には入力された信号にＭＰＥＧ１デコード処理を施して信号Ｓ１２２として出力する。
【００１９】
ＤＶ方式エンコード部１３１は、映像信号Ｓ１１１に、規定された符号化処理、詳細にはＤＶ（デジタルビデオ）方式エンコード処理を施して、信号Ｓ１３１として出力する。
【００２０】
ＤＶ方式デコード部１３２は、例えばＤＶ方式エンコード部１３１の符号化処理の逆変換処理、詳細には入力された信号にＤＶ方式デコード処理を施して信号Ｓ１３２として出力する。
【００２１】
上述したように、ＤＶ方式エンコード処理により生成された符号化データ（Ｓ１３１）は、ＭＰＥＧ１エンコード処理により生成される符号化データ（Ｓ１２１）よりも、データレートが大きい。
つまり、本実施形態ではＭＰＥＧ１エンコード処理は、ＤＶ方式エンコード処理と比べて、高圧縮処理により、データ量が小さくなるが、画質が低減する。
【００２２】
第１記録再生部１４は、記録媒体４０に画像処理、詳細には符号化処理が施された映像信号を記録し、記録媒体４０に記録された信号を読み出す。記録媒体４０は本発明に係る第１の記録媒体の一例に相当する。
記録媒体４０は、例えば、後述する記録媒体５０と比べて高速にランダムアクセス可能な記録媒体である。また、記録媒体４０は、装置に着脱可能および交換可能な記録媒体である。本実施形態では記録媒体４０は、例えば半導体メモリである。
【００２３】
第１記録再生部１４は、例えば図１に示すように、半導体メモリ記録用ストリーム生成部（単に、ストリーム生成部ともいう）１４１、および半導体メモリ再生用ストリーム解析部（単に、ストリーム解析部ともいう）１４２を有する。
【００２４】
ストリーム生成部１４１は、画像処理、詳細には符号化処理が施された映像信号を、予め規定された記録方式によりデータストリームを生成して、信号Ｓ１４１として記録媒体４０に記録する。
ストリーム解析部１４２は、記録媒体４０に記録された映像信号、詳細には符号化データのデータストリームを読み出して、規定された記録方式により解析して、信号Ｓ１４２として出力する。
【００２５】
第２記録再生部１５は、記録媒体５０に画像処理が施された映像信号を記録し、記録媒体５０に記録された信号を読み出す。記録媒体５０は本発明に係る第２の記録媒体の一例に相当する。
記録媒体５０は、リニアアクセスまたは記録媒体４０よりも低速にランダムアクセス可能な記録媒体である。また、記録媒体５０は、装置に着脱可能および交換可能な記録媒体である。例えば記録媒体５０は、磁気テープやディスク（ＤＶＤ、光ディスクや、光磁気ディスク）等の記録媒体である。本実施形態では、記録媒体５０は、磁気テープである。
【００２６】
第２記録再生部１５は、テープ記録用ストリーム生成部（単にストリーム生成部ともいう）１５１、およびテープ再生用ストリーム解析部１５２（単にストリーム解析部ともいう）１５２を有する。
ストリーム生成部１５１は、画像処理、詳細には符号化処理が施された映像信号を、予め規定された記録方式によりデータストリームを生成して、信号Ｓ１５１として記録媒体５０に記録する。
ストリーム解析部１５２は、記録媒体５０に記録された映像信号、詳細には符号化データのデータストリームを読み出して、規定された記録方式により解析して、信号Ｓ１５２として出力する。
【００２７】
表示部１６は、制御部１９の制御により、映像信号に応じた画像を表示する。表示部１６は、例えば液晶（ＬＣＤ）モニタ装置や、有機ＥＬ（Electroluminescence）装置等の表示装置により構成される。
【００２８】
外部出力部１７は、映像信号を外部の映像装置に出力する。例えば外部出力部１７は予め規定された外部出力端子等により構成される。
設定部１８は、例えば各種モードや設定情報を設定に応じた信号Ｓ１８を制御部１９に出力する。例えば設定部１８は、キーボードや、操作ボタン、操作スイッチ、タッチパネル等の操作入力装置により構成される。
【００２９】
制御部１９は、装置の各構成要素を統括的に制御する。
例えば制御部１９は、設定部１８からの信号Ｓ１８により、各種モードを設定し、モードに応じた処理を行う。
【００３０】
セレクタＳＷ１〜ＳＷ５は、制御部１９の制御により各構成要素間を導通状態または非導通状態に設定する。
【００３１】
セレクタＳＷ１は、端子ＳＷ１ａ〜ＳＷ１ｃを有し、セレクタＳＷ２は、端子ＳＷ２ａ〜ＳＷ２ｃを有し、セレクタＳＷ３は、端子ＳＷ３ａ〜ＳＷ３ｃを有し、セレクタＳＷ４は、端子ＳＷ４ａ〜ＳＷ４ｃを有し、セレクタＳＷ５は、端子ＳＷ５ａ〜ＳＷ５ｃを有する。
【００３２】
端子ＳＷ１ａは撮像部１１１に接続され、端子ＳＷ１ｂは外部入力部１１２に接続され、端子ＳＷ１ｃはＭＰＥＧ１エンコード部１２１、ＤＶ方式エンコード部１３１、セレクタＳＷ２の端子ＳＷ２ｂに接続されている。
【００３３】
端子ＳＷ２ｃは表示部１６や外部出力部１７に接続され、端子ＳＷ２ａはセレクタＳＷ３の端子ＳＷ３ｃに接続されている。
端子ＳＷ３ａはＭＰＥＧ１デコード部１２２に接続され、端子ＳＷ３ｂはＤＶ方式デコード部１３２に接続されている。
【００３４】
端子ＳＷ４ａはＤＶ方式エンコード部１３１、およびストリーム生成部１５１に接続され、端子ＳＷ４ｂはＭＰＥＧ１エンコード部１２１に接続され、端子ＳＷ４ｃはストリーム生成部１４１に接続されている。
端子ＳＷ５ａはストリーム解析部１５２に接続され、端子ＳＷ５ｂはストリーム解析部１４２およびＭＰＥＧ１デコード部１２２に接続されている。
【００３５】
セレクタＳＷ１〜ＳＷ５は、制御部１９からの制御信号ＣＴＬ１〜５に基づいて、各端子間を導通状態または非導通状態に設定する。
【００３６】
図２は、図１に示したビデオレコーダの動作の一具体例を説明するためのフローチャートである。図２を参照しながら、上述した構成のビデオレコーダ１の動作を、制御部１９の動作を中心に説明する。
【００３７】
〔撮像表示モード〕
制御部１９は、設定部１８から撮像表示モードを設定させる信号Ｓ１８が入力されると、セレクタＳＷ１，ＳＷ２に制御信号ＣＴＬ１，２を出力し、セレクタＳＷ１の端子ＳＷ１ａと端子ＳＷ１ｃとを導通状態に設定し、端子ＳＷ２ｂとＳＷ２ｃとを導通状態に設定する。
撮像部１１１から出力された映像信号Ｓ１１１は、端子ＳＷ１ａ，端子ＳＷ１ｃ，端子ＳＷ２ｂ、端子ＳＷ２ｃを介して、表示部１６や外部出力部１７に出力される。
【００３８】
〔外部入力表示モード〕
制御部１９は、設定部１８から外部入力表示モードを設定させる信号Ｓ１８が入力されると、セレクタＳＷ１，ＳＷ２に制御信号ＣＴＬ１，２を出力し、セレクタＳＷ１の端子ＳＷ１ｂと端子ＳＷ１ｃとを導通状態に設定し、端子ＳＷ２ｂとＳＷ２ｃとを導通状態に設定する。
外部入力部１１２から出力された映像信号Ｓ１１２は、端子ＳＷ１ｂ，端子ＳＷ１ｃ，端子ＳＷ２ｂ、端子ＳＷ２ｃを介して、表示部１６や外部出力部１７に出力される。
【００３９】
〔第１のモード（半導体メモリ選択モード）〕
制御部１９は、第１のモード時に、ＭＰＥＧ１エンコード部１２１により第１の符号化処理が施された映像信号を、第１記録再生部１４を介して記録媒体４０に記録する。
【００４０】
詳細には、例えば制御部１９は、設定部１８から第１のモードを設定させる信号Ｓ１８および記録指示を示す信号Ｓ１８が入力されると（ＳＴ１，ＳＴ２）、例えばセレクタＳＷ４に制御信号ＣＴＬ４を出力し、セレクタＳＷ４の端子ＳＷ４ｂと端子ＳＷ４ｃとを導通状態に設定する。
ＭＰＥＧ１エンコード部１２１は、例えば撮像部１１１から出力された映像信号Ｓ１１１に、ＭＰＥＧ１エンコード処理を施して信号Ｓ１２１として出力する。信号Ｓ１２１は、端子ＳＷ４ｂおよび端子ＳＷ４ｃを介してストリーム生成部１４１に入力される。
ストリーム生成部１４１は、信号Ｓ１２１を規定された記録方式により、映像信号Ｓ１４１としてランダムアクセス可能な記録媒体４０に記録する。この際、ストリーム生成部１４１は、ＭＰＥＧ１エンコード部１２１のエンコード方式を示す信号を、映像信号Ｓ１４１と関連付けて記録媒体４０に記録する（ＳＴ４，５）。
制御部１９は、例えば設定部１８から記録終了指示を示す信号Ｓ１８が入力されると、記録媒体４０への映像信号の記録を終了する（ＳＴ６）。
【００４１】
〔第２のモード（磁気テープ選択モード）〕
制御部１９は、第２のモード時に、ＤＶ方式エンコード部１３１によりＤＶ方式エンコード処理が施された映像信号を、第２記録再生部１５を介して記録媒体５０に記録し、記録媒体５０の残量が設定値よりも小さい場合には、ＤＶ方式エンコード部１３１によりＤＶ方式エンコード処理が施された映像信号を第１記録再生部１４を介して記録媒体４０に記録する。
【００４２】
詳細には、例えば制御部１９は、設定部１８から第２のモードを設定させる信号Ｓ１８および記録指示を示す信号Ｓ１８が入力されると（ＳＴ１〜ＳＴ３，ＳＴ７）、記録媒体５０の記録残量が設定値よりも小さいか否かを判別し（ＳＴ８）、記録媒体５０の記録残量が設定値以上、例えば記録残量が数１０秒程度以上の場合には、ＤＶ方式エンコード部１３１によりＤＶ方式エンコード処理が施された信号Ｓ１３１を、ストリーム生成部１５１により記録媒体５０に記録させ（ＳＴ９）、例えば設定部１８から記録終了指示を示す信号Ｓ１８が入力されると、記録媒体５０への映像信号の記録を終了する（ＳＴ１０）。
【００４３】
一方、ステップＳＴ８の判別において、制御部１９は、記録媒体５０の記録残量が設定値よりも小さいと判別した場合には、制御部１９は、制御信号ＣＴＬ４を出力して端子ＳＷ４ａと端子ＳＷ４ｃとを導通状態に設定し、端子ＳＷ４ａ，端子ＳＷ４ｃを介して、ＤＶ方式エンコード部１３１によりＤＶ方式エンコード処理が施された信号Ｓ１３１を、ストリーム生成部１４１により記録媒体４０に記録させる（ＳＴ１１）。この際、制御部１９は、ストリーム生成部１４１に、ＤＶ方式エンコード部１３１のエンコード方式を示す信号を、映像信号Ｓ１３１と関連付けて記録媒体４０に記録する。そして、例えば設定部１８から記録終了指示を示す信号Ｓ１８が入力されると、記録媒体４０への映像信号の記録を終了する（ＳＴ１０）。
【００４４】
〔第１記録媒体（半導体メモリ）再生モード〕
制御部１９は、例えば設定部１８から第１記録媒体再生モードを設定させる信号Ｓ１８が入力されると、制御信号ＣＴＬ３，２を出力して、端子ＳＷ３ａ，３ｃを導通状態に設定し、端子ＳＷ２ａ，ＳＷ２ｃを導通状態に設定する。
【００４５】
制御部１９は、第１記録再生部１４に記録媒体４０に記録された信号を読み出させ、ストリーム解析部１４２が読み出されたストリームデータを、規定された記録方式により解析する。
【００４６】
この際、制御部１９は、ストリーム解析部１４２により解析された、記録媒体４０に記録された映像信号と関連付けられたデコード方式を示すデータに基づいて、信号Ｓ１４２をＭＰＥＧ１デコード部１２２またはＤＶ方式デコード部１３２に出力する。
例えば、映像信号に第１符号化処理（例えばＭＰＥＧ１方式）を示すデータが関連付けられていた場合には、制御部１９は、ＭＰＥＧ１デコード部１２２に信号Ｓ１４２を出力する。
ＭＰＥＧ１デコード部１２２は、信号Ｓ１４２に、規定されたデコード方式、例えばＭＰＥＧ１デコード方式によりデコード処理を施して、信号Ｓ１２２として端子ＳＷ３ａ，端子ＳＷ３ｃ，端子ＳＷ２ａ，端子ＳＷ２ｃを介して表示部１６や外部出力部１７に出力する。
【００４７】
一方、例えば、映像信号に第２符号化処理（例えばＤＶ方式）を示すデータが関連付けられていた場合には、制御部１９は、制御信号ＣＴＬ５，ＣＴＬ３を出力して、端子ＳＷ５ｂ，端子ＳＷ５ｃとを導通常状態に接続し、端子ＳＷ３ｂ，端子ＳＷ３ｃを導通状態に設定する。
ＤＶ方式デコード部１３２は、端子ＳＷ５ｂ，端子ＳＷ５ｃを介して入力された信号Ｓ１４２に、規定されたデコード方式、例えばＤＶ方式によりデコード処理を施して、信号Ｓ１３２として端子ＳＷ３ｂ，端子ＳＷ３ｃ，端子ＳＷ２ａ，端子ＳＷ２ｃを介して表示部１６や外部出力部１７に出力する。
【００４８】
〔第２記録媒体（磁気テープ）再生モード〕
制御部１９は、例えば、設定部１８から第２記録媒体再生モードを設定させる信号Ｓ１８が入力されると、制御信号ＣＴＬ５，３，２を出力して、端子ＳＷ５ａ，端子ＳＷ５ｃを導通状態に設定し、端子ＳＷ３ｂ，ＳＷ３ｃを導通状態に設定し、端子ＳＷ２ａ，端子ＳＷ２ｃを導通状態に設定する。
【００４９】
制御部１９は、第２記録再生部１５に記録媒体５０に記録された信号を読み出させ、ストリーム解析部１５２が読み出されたストリームデータを、規定された記録方式により解析する。
【００５０】
この際、制御部１９は、ストリーム解析部１５２により解析された、記録媒体５０に記録された映像信号と関連付けられたデコード方式を示すデータに基づいて、信号Ｓ１５２をＤＶ方式デコード部１３２に出力する。
制御部１９は、ＤＶ方式デコード部１３２は、端子ＳＷ５ａ，端子ＳＷ５ｃを介して入力された信号Ｓ１５２に、規定されたデコード方式、例えばＤＶ方式によりデコード処理を施して、信号Ｓ１３２として端子ＳＷ３ｂ，端子ＳＷ３ｃ，端子ＳＷ２ａ，端子ＳＷ２ｃを介して表示部１６や外部出力部１７に出力する。
【００５１】
以上、説明したように、本実施形態では、映像信号に第１の符号化処理を施すＭＰＥＧ１エンコード部１２１と、第２の符号化処理を施して、第１の符号化処理が施された符号化データよりも大きいデータレートの符号化データを生成するＤＶ方式エンコード部１３１と、ランダムアクセス可能な記録媒体４０に符号化処理が施された映像信号を記録する第１記録再生部１４と、リニアアクセスまたは記録媒体４０よりも低速にランダムアクセス可能な記録媒体５０に符号化処理が施された映像信号を記録する第２記録再生部１５と、第１のモード時に、ＭＰＥＧ１エンコード部１２１により第１の符号化処理が施された映像信号を第１記録再生部１４を介して記録媒体４０に記録し、第２のモード時に、ＤＶ方式エンコード部１３１により第２の符号化処理が施された映像信号を第２記録再生部１５を介して記録媒体５０に記録し、記録媒体５０の残量が設定値よりも小さい場合には、ＤＶ方式エンコード部１３１により第２の符号化処理が施された映像信号を第１記録再生部１４を介して記録媒体４０に記録する制御部１９とを設けたので、第２のモード時に記録媒体５０の残量が少ない場合であっても、煩雑な操作を行うことなく画質を低減することなく映像信号を記録することができる。
【００５２】
つまり、記録媒体４０および記録媒体５０にも、同じデータレート（高画質）の映像信号を記録することができるので、例えば、第２のモード時に、まず記録媒体４０に比べて安価で記録容量が大きく、低速なランダムアクセス可能またはリニアアクセス可能な記録媒体５０に高画質の映像信号を記録し、記録媒体５０の記録残量が設定値よりも少ない場合に、記録媒体５０に比べて高価で記録容量が小さく、高速にランダムアクセス可能な記録媒体４０に高画質の映像信号を記録することができる。
そして、例えば記録媒体４０に記録している間に記録媒体５０を交換し、新たな記録媒体５０に映像信号を記録することで、欠損することなく、連続して高画質に映像信号を記録することができる。
【００５３】
また、記録媒体４０，５０は着脱可能で交換可能であるので、例えば外部のパーソナルコンピュータ等の映像処理装置により再生可能である。
【００５４】
〔第２実施形態〕
図３は、本発明の第２実施形態に係る映像信号処理装置を適用したビデオレコーダの機能ブロック図である。
本実施形態に係るビデオレコーダ１ａは、例えば図３に示すように、撮像部１１１、外部入力部１１２、ＭＰＥＧ１エンコード部１２１、ＭＰＥＧ１デコード部１２２、ＤＶ方式エンコード部１３１、ＤＶ方式デコード部１３２、第１記録再生部１４、第２記録再生部１５、表示部１６、外部出力部１７、設定部１８、制御部１９、およびセレクタＳＷ１〜ＳＷ３，ＳＷ５〜ＳＷ８を有する。
【００５５】
本実施形態に係るビデオレコーダ１ａは、記録媒体４０に記録された、ＤＶ方式エンコード部１３１によりエンコード処理が施された映像信号を読み出して、記録媒体５０に記録する。
第１実施形態との大きな相違点は、ビデオレコーダ１ａでは、セレクタＳＷ４の替わりに、セレクタＳＷ６、ＳＷ７を有し、セレクタＳＷ８が追加された点である。
【００５６】
以下、第１実施形態との相違点を中心に、図面を参照しながら説明する。第１実施形態と同一の構成、動作については説明を省略する。
【００５７】
例えば図３に示すように、セレクタＳＷ６は端子ＳＷ６ａ〜ＳＷ６ｃ、セレクタＳＷ７は端子ＳＷ７ａ〜ＳＷ７ｃ、セレクタＳＷ８はＳＷ８ａ〜ＳＷ８ｃを有する。
【００５８】
端子ＳＷ６ａは、ストリーム解析部１５２，端子ＳＷ５ａに接続され、端子ＳＷ６ｃはストリーム生成部１４１に接続され、端子ＳＷ６ｂは、端子ＳＷ７ｃに接続されている。
端子ＳＷ７ａは、端子ＳＷ８ｃおよびストリーム生成部１５１に接続され、端子ＳＷ７ｂはＭＰＥＧ１エンコード部１２１に接続されている。
端子ＳＷ８ａはＤＶ方式エンコード部１３１に接続され、端子ＳＷ８ｂはＤＶ方式エンコード部１３２，端子ＳＷ５ｃに接続されている。
【００５９】
〔転送モード〕
制御部１９は、転送指示により第１記録再生部１４を介して記録媒体４０に記録された映像信号を読み出し、当該読み出した映像信号を第２記録再生部１５を介して記録媒体５０に記録する。
【００６０】
例えば、制御部１９は、設定部１８から転送モードを設定させる信号Ｓ１８が入力されると、制御信号ＣＴＬ５，８を出力して、端子ＳＷ５ｂ，ＳＷ５ｃを導通状態に設定し、端子ＳＷ８ｂ，ＳＷ８ｃを導通状態に設定する。
制御部１９は、第１記録再生部１４に記録媒体４０に記録された信号を読み出させ、ストリーム解析部１４２が読み出されたストリームデータを、規定された記録方式により解析する。
【００６１】
この際、制御部１９は、ストリーム解析部１４２による解析の結果、記録媒体４０に記録された映像信号と関連付けられたデコード方式を示すデータが、第２の符号化処理（例えばＤＶ方式エンコード処理）を示すデータの場合には、ストリーム解析部１４２から出力された信号Ｓ１４２を、端子ＳＷ５ｂ，セレクタＳＷ５ｃ，端子ＳＷ８ｂ，セレクタＳＷ８ｃを介して、ストリーム生成部１５１に入力させる。
ストリーム生成部１５１は、信号Ｓ１４２を基に規定された記録方式によりストリームデータに変換して、信号Ｓ１５１として記録媒体５０に記録する。
【００６２】
一方、制御部１９は、ストリーム解析部１４２による解析の結果、記録媒体４０に記録された映像信号と関連付けられたデコード方式を示すデータが、第１の符号化処理（例えばＭＰＥＧ１エンコード処理）を示すデータの場合には、転送処理を終了、またはストリーム解析部１４２から出力された信号Ｓ１４２を、端子ＳＷ５ｂ，セレクタＳＷ５ｃ，端子ＳＷ８ｂ，セレクタＳＷ８ｃを介して、ストリーム生成部１５１に入力させる。
その際、ストリーム生成部１５１は、信号Ｓ１４２を基に規定された記録方式によりストリームデータに変換して、信号Ｓ１５１として、第１符号化処理（ＭＰＥＧ１エンコード処理）を示すデータと関連付けて、記録媒体５０に記録する。
こうすることで、転送モード時に記録媒体４０に第１符号化処理が施された映像信号が記録されていた場合には転送モードを終了、または第１符号化処理を示すデータと関連付けて記録媒体５０に記録することができ、再生時にはそのデータを基に再生処理を行うことができる。
【００６３】
以上、説明したように、本実施形態に係るビデオレコーダ１ａでは、転送指示により第１記録再生部１４を介して記録媒体４０に記録された映像信号を読み出し、当該読み出した映像信号を第２記録再生部１５を介して記録媒体５０に記録するので、例えば記録媒体４０にＤＶ方式エンコード処理が施された高画質の映像信号を、第２記録再生部１５を介して記録媒体５０に記録（ダビング）することができる。
また、例えば、記録媒体５０の残量が設定値以下の場合に、記録媒体４０に記録していた第２符号化処理（ＤＶ方式エンコード処理）が施された映像信号を記録媒体５０に記録することができる。
【００６４】
〔第２転送モード〕
制御部１９は、転送指示により第２記録再生部１５を介して記録媒体５０に記録された映像信号を読み出し、当該読み出した映像信号を第１記録再生部１４を介して記録媒体４０に記録する。
【００６５】
例えば、制御部１９は、設定部１８から第２転送モードを設定させる信号Ｓ１８が入力されると、制御信号ＣＴＬ６を出力して、端子ＳＷ６ａ，ＳＷ６ｃを導通状態に設定する。
制御部１９は、第２記録再生部１５に記録媒体５０に記録された信号を読み出させ、ストリーム解析部１５２が読み出されたストリームデータを、規定された記録方式により解析する。
【００６６】
この際、制御部１９は、ストリーム解析部１５２による解析の結果、記録媒体５０に記録された映像信号と関連付けられたデコード方式を示すデータが、第２の符号化処理（例えばＤＶ方式エンコード処理）を示すデータの場合には、ストリーム解析部１５２から出力された信号Ｓ１５２を、端子ＳＷ６ａ，端子ＳＷ６ｃを介して、ストリーム生成部１４１に入力させる。
ストリーム生成部１４１は、信号Ｓ１５２を基に規定された記録方式によりストリームデータに変換して、信号Ｓ１４１として記録媒体４０に記録する。
【００６７】
以上、説明したように、本実施形態に係るビデオレコーダ１ａでは、転送指示により第２記録再生部１５を介して記録媒体５０に記録された映像信号を読み出し、当該読み出した映像信号を第１記録再生部１４を介して記録媒体４０に記録するので、例えば記録媒体５０にＤＶ方式エンコード処理が施された高画質の映像信号を、第１記録再生部１４を介して記録媒体４０に記録（ダビング）することができる。
【００６８】
〔第３実施形態〕
図４は、本発明の第３実施形態に係る映像信号処理装置を適用したビデオレコーダの機能ブロック図である。
本実施形態に係るビデオレコーダ１ｂは、例えば図３に示すように、撮像部１１１、外部入力部１１２、ＭＰＥＧ１エンコード部１２１、ＭＰＥＧ１デコード部１２２、ＤＶ方式エンコード部１３１、ＤＶ方式デコード部１３２、第１記録再生部１４、第２記録再生部１５、表示部１６、外部出力部１７、設定部１８、制御部１９、およびセレクタＳＷ１〜ＳＷ４，ＳＷ９を有する。
【００６９】
本実施形態に係るビデオレコーダ１ｂは、記録媒体４０に記録された、ＤＶ方式エンコード部１３１によりエンコード処理が施された映像信号を読み出して、復号処理を施してベースバンド信号にまで戻し、編集処理を施して第２の符号化処理（ＤＶ方式エンコード処理）を施して、第２記録再生部１５を介して記録媒体５０に記録する。
【００７０】
第１および第２実施形態との大きな相違点は、ビデオレコーダ１ｂでは、セレクタＳＷ９と、編集部２０を設けた点である。第１および第２実施形態と同一な構成要素、および動作については説明を省略する。
【００７１】
例えば図４に示すように、セレクタＳＷ９は、端子ＳＷ９ａ〜ＳＷ９ｃを有する。
端子ＳＷ９ａは、端子ＳＷ１ｃおよび端子ＳＷ２ｂと接続し、端子ＳＷ９ｂは編集部２０と接続し、端子ＳＷ９ｃはＤＶ方式エンコード部１３１と接続する。
【００７２】
編集部２０は、例えば制御部１９の制御により、入力されたベースバンド信号としての映像信号に編集処理、例えば特殊画像効果処理、カット処理、コピー処理等の編集処理を施して出力する。
【００７３】
〔ベースバンド変換モード〕
例えば、制御部１９は、設定部１８からベースバンド変換モードを設定させる信号Ｓ１８が入力されると、制御信号ＣＴＬ５，９を出力して、端子ＳＷ５ｂ，ＳＷ５ｃを導通状態に設定し、端子ＳＷ９ｂと端子ＳＷ９ｃを導通状態に設定する。
【００７４】
制御部１９は、第１記録再生部１４に記録媒体４０に記録された信号を読み出させ、ストリーム解析部１４２が読み出されたストリームデータを、規定された記録方式により解析する。
【００７５】
この際、制御部１９は、ストリーム解析部１４２による解析の結果、記録媒体４０に記録された映像信号と関連付けられたデコード方式を示すデータが、第２の符号化処理（例えばＤＶ方式エンコード処理）を示すデータの場合には、ストリーム解析部１４２から出力された信号Ｓ１４２を、端子ＳＷ５ｂ，セレクタＳＷ５ｃを介してＤＶ方式デコード部１３２に入力させる。
ＤＶ方式デコード部１３２は、信号Ｓ１４２を基に規定された復号処理を施して、ベースバンド信号として信号Ｓ１３２を出力する。
【００７６】
編集処理を行う場合には、編集部２０により編集処理を行う。
詳細には、編集部２０は信号Ｓ１３２を基に、上述した編集処理を施して信号Ｓ２０として出力する。
信号Ｓ２０は、端子ＳＷ９ｂ，端子ＳＷ９ｃを介してＤＶ方式エンコード部１３１に入力される。ＤＶ方式エンコード部１３１はその信号に第２符号化処理（ＤＶ方式エンコード処理）を施して、信号Ｓ１３１として第２記録再生部１５に出力し、第２記録再生部１５は、規定された記録方式により記録媒体５０に記録する。
【００７７】
一方、ベースバンド信号を出力する場合には、制御部１９は、制御信号ＣＴＬ３，２を出力して端子ＳＷ３ａ，端子ＳＷ３ｃ，端子ＳＷ２ａ，端子ＳＷ２ｃを導通状態に設定する。
【００７８】
ＤＶ方式デコード部１３２から出力された信号Ｓ１３２は、端子ＳＷ３ａ，端子ＳＷ３ｃ，端子ＳＷ２ａ，端子ＳＷ２ｃを介して、表示部１６や外部出力部１７に出力される。
【００７９】
以上、説明したように、記録媒体４０に記録された映像信号を、一度ベースバンド信号にまで戻して、必要に応じて編集処理を施した後、第２符号化処理を施して、第２記録再生部１５により記録媒体５０に記録することができる。
【００８０】
なお、本発明は本実施形態に限られるものではなく、任意好適な改変が可能である。
例えば、磁気テープにＤＶ方式の符号化処理を施した映像信号、半導体メモリにＭＰＥＧ１方式の符号化処理を施した映像信号を記録したが、この形態に限られるものではない。
例えば、ＭＰＥＧ１，ＭＰＥＧ２、ＭＰＥＧ４、ＭＰＥＧ８方式など、任意好適な符号化方式を施した映像信号を記録媒体に記録してもよい。
また、映像信号は、ＳＤ（スタンダード）画像だけでなくＨＤ（高品位）画像や他の種類の映像信号でもよい。
また、磁気テープ、半導体メモリ等の記録媒体は、ＨＤＤや光ディスク、光磁気ディスクや、取り外し可能な他の記録媒体でもよい。
【００８１】
また、記録媒体として、取り外し可能で書き換え可能な半導体メモリの記憶容量がアップし、安価になれば、本発明の有用性は増す。
【００８２】
また、上述した実施形態では映像信号の処理を説明したが、映像信号に限られるものではなく、音信号に関しても第１および第２の符号化処理を施して、第１および第２の記録媒体に記録するようにしてもよい。
また、主に撮像部１１１から出力された信号Ｓ１１１を基に本発明に係る処理を行う実施形態を説明したが、この形態に限られるものではない。例えば外部入力部１１２による信号Ｓ１１２を基に本発明に係る処理を行ってもよい。
【産業上の利用可能性】
【００８３】
本発明は、例えば撮像部や外部装置等から入力される映像信号を記録媒体に記録する処理を行う映像信号処理装置に適用できる。
【図面の簡単な説明】
【００８４】
【図１】本発明の第１実施形態に係る映像信号処理装置を適用したビデオレコーダの機能ブロック図である。
【図２】図１に示したビデオレコーダの動作の一具体例を説明するためのフローチャートである。
【図３】本発明の第２実施形態に係る映像信号処理装置を適用したビデオレコーダの機能ブロック図である。
【図４】本発明の第３実施形態に係る映像信号処理装置を適用したビデオレコーダの機能ブロック図である。
【符号の説明】
【００８５】
１，１ａ，１ｂ…ビデオレコーダ、１１１…撮像部、１１２…外部入力部、１２１…ＭＰＥＧ１エンコード部、１２２…ＭＰＥＧ１デコード部、１３１…ＤＶ方式エンコード部、１３２…ＤＶ方式デコード部、１４…第１記録再生部、１５…第２記録再生部、１６…表示部、１７…外部出力部、１８…設定部、１９…制御部、２０…編集部、４０…記録媒体、５０…記録媒体、ＳＷ１〜ＳＷ９…セレクタ。
【図１】
2006060380.tif 000003
【図２】
2006060380.tif 000004
【図３】
2006060380.tif 000005
【図４】
2006060380.tif 000006
【手続補正書】
【提出日】平成17年8月5日(2005.8.5)
【手続補正１】
【補正対象書類名】明細書
【補正対象項目名】００４３
【補正方法】変更
【補正の内容】
【００４３】
一方、ステップＳＴ８の判別において、制御部１９は、記録媒体５０の記録残量が設定値よりも小さいと判別した場合には、制御部１９は、制御信号ＣＴＬ４を出力して端子ＳＷ４ａと端子ＳＷ４ｃとを導通状態に設定し、端子ＳＷ４ａ，端子ＳＷ４ｃを介して、ＤＶ方式エンコード部１３１によりＤＶ方式エンコード処理が施された信号Ｓ１３１を、ストリーム生成部１４１により記録媒体４０に記録させる（ＳＴ１１）。この際、制御部１９は、ストリーム生成部１４１に、ＤＶ方式エンコード部１３１のエンコード方式を示す信号を生成して、映像信号Ｓ１３１と関連付けて記録媒体４０に記録する。そして、例えば設定部１８から記録終了指示を示す信号Ｓ１８が入力されると、記録媒体４０への映像信号の記録を終了する（ＳＴ１０）。
【手続補正２】
【補正対象書類名】明細書
【補正対象項目名】００６３
【補正方法】変更
【補正の内容】
【００６３】
以上、説明したように、本実施形態に係るビデオレコーダ１ａでは、転送指示により第１記録再生部１４を介して記録媒体４０に記録された映像信号を読み出し、当該読み出した映像信号を第２記録再生部１５を介して記録媒体５０に記録するので、例えば記録媒体４０に記録されたＤＶ方式エンコード処理が施された高画質の映像信号を、第２記録再生部１５を介して記録媒体５０に記録（ダビング）することができる。
また、例えば、記録媒体５０の残量が設定値以下の場合に、記録媒体４０に記録していた第２符号化処理（ＤＶ方式エンコード処理）が施された映像信号を記録媒体５０に記録することができる。
【手続補正３】
【補正対象書類名】明細書
【補正対象項目名】００６８
【補正方法】変更
【補正の内容】
【００６８】
〔第３実施形態〕
図４は、本発明の第３実施形態に係る映像信号処理装置を適用したビデオレコーダの機能ブロック図である。
本実施形態に係るビデオレコーダ１ｂは、例えば図４に示すように、撮像部１１１、外部入力部１１２、ＭＰＥＧ１エンコード部１２１、ＭＰＥＧ１デコード部１２２、ＤＶ方式エンコード部１３１、ＤＶ方式デコード部１３２、第１記録再生部１４、第２記録再生部１５、表示部１６、外部出力部１７、設定部１８、制御部１９、およびセレクタＳＷ１〜ＳＷ５，ＳＷ９を有する。